(57)【特許請求の範囲】
【請求項１】
カバレッジ外のＵＥが、カバレッジ内のＵＥの発信した同期信号を検出すると、上記カバレッジ内のＵＥの同期リソース開始位置を確定することと、
上記カバレッジ外のＵＥが、自身の同期リソース開始位置を、上記カバレッジ内のＵＥの同期リソース開始位置に基づいて確定することと、
上記カバレッジ外のＵＥが、自身の同期リソース開始位置と自身の同期リソース周期に基づいて、同期信号を送信することと
を含む同期処理方法であって、
前記同期処理方法は更に、
上記カバレッジ外のＵＥがカバレッジ内のＵＥの発信した同期信号を検出すると、
上記カバレッジ外のＵＥが、上記カバレッジ内のＵＥの同期リソース周期を確定することと、
上記カバレッジ外のＵＥが、上記カバレッジ内のＵＥの同期リソース開始位置と同期リソース周期に基づいて、上記カバレッジ内のＵＥの発信した同期信号を検出し続けることと
を更に含み、
上記カバレッジ外のＵＥが上記カバレッジ内のＵＥの同期リソース周期を確定することは、
上記カバレッジ外のＵＥが、検出した上記同期信号に付随する同期リソース周期情報に基づいて、上記カバレッジ内のＵＥの同期リソース周期を確定し、
又は、
上記カバレッジ外のＵＥが、上記カバレッジ内のＵＥの発信した同期チャネルを検出し、検出した上記同期チャネルに付随する同期リソース周期情報に基づいて、上記カバレッジ内のＵＥの同期リソース周期を確定し、
又は、
上記カバレッジ外のＵＥが、上記カバレッジ内のＵＥの同期リソース開始位置に基づいて、上記カバレッジ内のＵＥの同期リソース周期候補毎に上記カバレッジ内のＵＥの同期信号を検出し、上記カバレッジ内のＵＥの同期信号が検出された同期リソース周期候補を上記カバレッジ内のＵＥの同期リソース周期として確定すること
を含む
ことを特徴とする同期処理方法。
【請求項２】
上記カバレッジ外のＵＥの同期リソース開始位置と上記カバレッジ内のＵＥの同期リソース開始位置との間のサブフレーム数は、一定値であるか、上記カバレッジ外のＵＥに予め配置された同期リソース開始位置に基づいて確定されることを特徴とする請求項１に記載の同期処理方法。
【請求項３】
上記カバレッジ外のＵＥが、最近少なくとも一回検出した上記カバレッジ内のＵＥの発信した同期信号に基づいて、同期参考を取得することと、
上記カバレッジ外のＵＥが、取得した同期参考に基づいて、自身の同期信号送信用の同期参考及び／又は自身のデータ信号送信用の同期参考を確定することと
を更に含むことを特徴とする請求項１に記載の同期処理方法。
【請求項４】
上記カバレッジ内のＵＥの同期リソース周期は、上記カバレッジ外のＵＥの同期リソース周期の整数倍であることを特徴とする請求項１に記載の同期処理方法。
【請求項５】
上記カバレッジ外のＵＥが、検出した上記同期信号に付随する同期信号持続時間情報に基づいて、１つの同期リソース周期における上記カバレッジ内のＵＥの発信した同期信号の持続時間を確定することにより、上記カバレッジ内のＵＥの発信した同期信号を検出し続ける過程に、上記カバレッジ内のＵＥの発信した同期信号を、各同期リソース周期内に上記持続時間に従って検出すること、
又は、
上記カバレッジ外のＵＥが、上記カバレッジ内のＵＥの発信した同期チャネルを検出し、検出した上記同期チャネルに付随する同期信号持続時間情報に基づいて、１つの同期リソース周期における上記カバレッジ内のＵＥの発信した同期信号の持続時間を確定することにより、上記カバレッジ内のＵＥの発信した同期信号を検出し続ける過程に、上記カバレッジ内のＵＥの同期信号を、各同期リソース周期内に上記持続時間に従って検出すること
を更に含むことを特徴とする請求項１に記載の同期処理方法。
【請求項６】
カバレッジ外のＵＥであるＵＥにおいて
カバレッジ内のＵＥの発信した同期信号を検出すると、上記カバレッジ内のＵＥの同期リソース開始位置を確定するための同期信号検出モジュールと、
カバレッジ外のＵＥの同期リソース開始位置を、上記カバレッジ内のＵＥの同期リソース開始位置に基づいて確定するための同期リソース確定モジュールと、
カバレッジ外のＵＥの同期リソース開始位置とカバレッジ外のＵＥの同期リソース周期に基づいて、同期信号を送信するための同期信号送信モジュールと
を含み、
上記同期信号検出モジュールは、更に、
上記カバレッジ内のＵＥの同期リソース周期を確定し、
上記カバレッジ内のＵＥの同期リソース開始位置と同期リソース周期に基づいて、上記カバレッジ内のＵＥの発信した同期信号を検出し続け、
上記同期信号検出モジュールは、
上記カバレッジ内のＵＥの同期リソース周期を確定する際に、
検出した上記同期信号に付随する同期リソース周期情報に基づいて、上記カバレッジ内のＵＥの同期リソース周期を確定し、
又は、
上記カバレッジ内のＵＥの発信した同期チャネルを検出し、検出した上記同期チャネルに付随する同期リソース周期情報に基づいて、上記カバレッジ内のＵＥの同期リソース周期を確定し、
又は、
上記カバレッジ内のＵＥの同期リソース開始位置に基づいて、上記カバレッジ内のＵＥの同期リソース周期候補毎に上記カバレッジ内のＵＥの同期信号を検出し、上記カバレッジ内のＵＥの同期信号が検出された同期リソース周期候補を上記カバレッジ内のＵＥの同期リソース周期として確定する
ことを特徴とするＵＥ。
【請求項７】
上記カバレッジ外のＵＥの同期リソース開始位置と上記カバレッジ内のＵＥの同期リソース開始位置との間のサブフレーム数は、一定値であるか、上記カバレッジ外のＵＥに予め配置された同期リソース開始位置に基づいて確定されることを特徴とする請求項６に記載のＵＥ。
【請求項８】
上記同期信号送信モジュールは、更に、
最近少なくとも一回検出した上記カバレッジ内のＵＥの発信した同期信号に基づいて、同期参考を取得し、
取得した同期参考に基づいて、カバレッジ外のＵＥの同期信号送信用の同期参考及び／又はカバレッジ外のＵＥのデータ信号送信用の同期参考を確定することを特徴とする請求項６に記載のＵＥ。
【請求項９】
上記カバレッジ内のＵＥの同期リソース周期は、上記カバレッジ外のＵＥの同期リソース周期の整数倍であることを特徴とする請求項６に記載のＵＥ。
【請求項１０】
上記同期信号検出モジュールは、更に、
検出した上記同期信号に付随する同期信号持続時間情報に基づいて、１つの同期リソース周期における上記カバレッジ内のＵＥの発信した同期信号の持続時間を確定することにより、上記カバレッジ内のＵＥの発信した同期信号を検出し続ける過程に、上記カバレッジ内のＵＥの発信した同期信号を、各同期リソース周期内に上記持続時間に従って検出し、
又は、
上記カバレッジ内のＵＥの発信した同期チャネルを検出し、検出した上記同期チャネルに付随する同期信号持続時間情報に基づいて、１つの同期リソース周期における上記カバレッジ内のＵＥの発信した同期信号の持続時間を確定することにより、上記カバレッジ内のＵＥの発信した同期信号を検出し続ける過程に、上記カバレッジ内のＵＥの同期信号を、各同期リソース周期内に上記持続時間に従って検出することを特徴とする請求項６に記載のＵＥ。
【発明の詳細な説明】
【技術分野】
【０００１】
本願は、２０１４年５月６日に中国特許庁に提出された中国特許出願２０１４１０１８８９０８．Ｘ（発明の名称：「同期処理方法及びユーザイクイップメント」）の優先権を主張し、その全ての内容が援用により本願に取り込まれる。
【０００２】
本発明は、無線通信領域に関し、特に同期処理方法及びユーザイクイップメントに関する。
【背景技術】
【０００３】
Ｄ２Ｄ（Ｄｅｖｉｃｅ  ｔｏ  Ｄｅｖｉｃｅ）は、端末間直接通信技術であり、近隣端末が近距離範囲内で直接接続リンクによりデータ伝送を行うことができ、中心ノード（即ち基地局）による転送を必要としない。
【０００４】
ＬＴＥ（Ｌｏｎｇ  Ｔｅｒｍ  Ｅｖｏｌｕｔｉｏｎ）  Ｄ２Ｄ技術は、ＬＴＥの免許周波数帯域で動作し、ＬＴＥネットワークから制御を受けるＤ２Ｄ発見と通信過程を指し、Ｄ２Ｄ技術の利点が十分に発揮されると同時に、例えば干渉が制御できないといった従来のＤ２Ｄ技術の一部の課題を、ＬＴＥネットワークの制御により克服することができる。ＬＴＥ  Ｄ２Ｄ特性の導入により、ＬＴＥ技術は、単純な無線移動セルラー通信技術から「汎用接続技術（Ｕｎｉｖｅｒｓａｌ  Ｃｏｎｎｅｃｔｉｖｉｔｙ  Ｔｅｃｈｎｏｌｏｇｙ）」の方向へ進化する。
【０００５】
ユーザイクイップメント（ＵＥ：Ｕｓｅｒ  Ｅｑｕｉｐｍｅｎｔ、本発明では端末とも言う）は、Ｄ２Ｄ伝送の先に、まず同期を行う。ＵＥは、参考同期ソースの発信した同期信号に基づいて、Ｄ２Ｄ信号送信用の同期参考を取得する。ＵＥは、Ｄ２Ｄ信号の送信と同時に、同期信号を送信して他のＵＥに同期参考を提供する。また、同時に同期チャネルを伝送していくつかのリソース配置又は同期ソース情報を伝達してもよい。
【０００６】
Ｄ２Ｄ同期信号は、周期的に現れる同期リソースで伝送され、同期リソースが現れる周期が同期リソース周期と呼ばれる。同期チャネルが伝送されると、同一の同期リソース内で伝送が行われ、同期信号のリソースと同期チャネルのリソースが互いに関連する。カバレッジ外のＵＥは、通常同期リソース周期が予め配置されており、即ちＵＥに事前に書き込まれた一定値である。一方、カバレッジ内のＵＥの場合でも、通常１つの一定の同期リソース周期が予め配置され、ネットワークのカバレッジ内からカバレッジ外に移動すると、予め配置した同期リソース周期を使用できる。しかし、ＵＥがネットワークのカバレッジ内にある場合、予め配置された該周期を使用せず、他の同期リソース周期を使用してもよい。
【０００７】
ネットワークのカバレッジの一部の場合に、カバレッジ内のＵＥが、同期信号及び／又は同期チャネルにより、カバレッジ内の同期情報をカバレッジ外のＵＥに転送することにより、カバレッジの近くのＵＥでもカバレッジ内の同期に基づいてＤ２Ｄ信号伝送を行うことができ、同期伝送によりカバレッジ内のＵＥとの干渉を低下させる。この場合、カバレッジ外のＵＥは、同期信号を転送し続け、他のカバレッジ外の近くのＵＥに同期参考を提供することにより、ネットワーク同期がより広範囲のカバレッジが実現できる。
【０００８】
カバレッジ外のＵＥが予め配置された同期リソースで同期信号を伝送し、カバレッジ内のＵＥがネットワーク側で配置された同期リソース、又はネットワーク側と約束した同期リソースを用いて同期信号を伝送するが、このような同期リソースの不整合により、カバレッジ内のＵＥとカバレッジ外のＵＥとの非同期を招き、カバレッジ外のＵＥとカバレッジ内のＵＥとの同期精度の低下を招く。
【発明の概要】
【０００９】
本発明の目的は、カバレッジ外のＵＥとカバレッジ内のＵＥとの同期精度を高めるための同期処理方法及びユーザイクイップメントを提供することである。
【００１０】
本発明の目的は、以下の技術案により実現される。同期処理方法において、カバレッジ外のＵＥが、カバレッジ内のＵＥの発信した同期信号を検出すると、上記カバレッジ内のＵＥの同期リソース開始位置を確定することと、上記カバレッジ外のＵＥが、自身の同期リソース開始位置を、上記カバレッジ内のＵＥの同期リソース開始位置に基づいて確定することと、上記カバレッジ外のＵＥが、自身の同期リソース開始位置と自身の同期リソース周期に基づいて、同期信号を送信することとを含む。
【００１１】
本発明の実施例によれば、カバレッジ外のＵＥが、カバレッジ内のＵＥの同期信号を受信すると、受信した同期信号に基づいて、カバレッジ内のＵＥの同期リソース開始位置を確定するとともに、自身の同期リソース開始位置を、カバレッジ内のＵＥの同期リソース開始位置に基づいて確定することにより、カバレッジ外のＵＥの同期リソースとカバレッジ内のＵＥの同期リソースとの整合が保証され、カバレッジ内のＵＥとの高い同期精度が維持されることができる。
【００１２】
上記カバレッジ外のＵＥの同期リソース開始位置と上記カバレッジ内のＵＥの同期リソース開始位置との間のサブフレーム数は、一定値であるか、上記カバレッジ外のＵＥに予め配置された同期リソース開始位置に基づいて確定されることが好ましい。
【００１３】
当該方法において、上記カバレッジ外のＵＥがカバレッジ内のＵＥの発信した同期信号を検出すると、上記カバレッジ外のＵＥが、上記カバレッジ内のＵＥの同期リソース周期を確定することと、上記カバレッジ外のＵＥが、上記カバレッジ内のＵＥの同期リソース開始位置と同期リソース周期に基づいて、上記カバレッジ内のＵＥの発信した同期信号を検出し続けることとを更に含むことが好ましい。
【００１４】
当該方法において、上記カバレッジ外のＵＥが、最近少なくとも一回検出した上記カバレッジ内のＵＥの発信した同期信号に基づいて、同期参考を取得することと、上記カバレッジ外のＵＥが、取得した同期参考に基づいて、自身の同期信号送信用の同期参考及び／又は自身のデータ信号送信用の同期参考を確定することとを更に含むことが好ましい。
【００１５】
上記カバレッジ外のＵＥが上記カバレッジ内のＵＥの同期リソース周期を確定することは、上記カバレッジ外のＵＥが、検出した上記同期信号に付随する同期リソース周期情報に基づいて、上記カバレッジ内のＵＥの同期リソース周期を確定すること、又は、上記カバレッジ外のＵＥが、上記カバレッジ内のＵＥの発信した同期チャネルを検出し、検出した上記同期チャネルに付随する同期リソース周期情報に基づいて、上記カバレッジ内のＵＥの同期リソース周期を確定すること、又は、上記カバレッジ外のＵＥが、上記カバレッジ内のＵＥの同期リソース開始位置に基づいて、上記カバレッジ内のＵＥの同期リソース周期候補ごとに上記カバレッジ内のＵＥの同期信号を検出すること、上記カバレッジ内のＵＥの同期信号が検出された同期リソース周期候補を上記カバレッジ内のＵＥの同期リソース周期として確定することを含むことが好ましい。
【００１６】
上記カバレッジ内のＵＥの同期リソース周期は、上記カバレッジ外のＵＥの同期リソース周期の整数倍であることが好ましい。
【００１７】
当該方法において、上記カバレッジ外のＵＥが、検出した上記同期信号に付随する同期信号持続時間情報に基づいて、１つの同期リソース周期における上記カバレッジ内のＵＥの発信した同期信号の持続時間を確定することにより、上記カバレッジ内のＵＥの発信した同期信号を検出し続ける過程において、上記カバレッジ内のＵＥの発信した同期信号を、各同期リソース周期に上記持続時間に従って検出すること、又は、上記カバレッジ外のＵＥが、上記カバレッジ内のＵＥの発信した同期チャネルを検出し、検出した上記同期チャネルに付随する同期信号持続時間情報に基づいて、１つの同期リソース周期における上記カバレッジ内のＵＥの発信した同期信号の持続時間を確定することにより、上記カバレッジ内のＵＥの発信した同期信号を検出し続ける過程に、上記カバレッジ内のＵＥの同期信号を、各同期リソース周期に上記持続時間に従って検出することを更に含むことが好ましい。
【００１８】
方法と同様の発明構想に基づいて、本発明の実施例は、カバレッジ外のＵＥであるＵＥを提供する。当該ＵＥにおいて、カバレッジ内のＵＥの発信した同期信号を検出すると、上記カバレッジ内のＵＥの同期リソース開始位置を確定するための同期信号検出モジュールと、カバレッジ外のＵＥの同期リソース開始位置を、上記カバレッジ内のＵＥの同期リソース開始位置に基づいて確定するための同期リソース確定モジュールと、カバレッジ外のＵＥの同期リソース開始位置とカバレッジ外のＵＥの同期リソース周期に基づいて、同期信号を送信するための同期信号送信モジュールとを含む。
【００１９】
本発明の実施例によれば、カバレッジ外のＵＥは、カバレッジ内のＵＥの同期信号を受信すると、受信した同期信号に基づいて、カバレッジ内のＵＥの同期リソース開始位置を確定するとともに、自身の同期リソース開始位置を、カバレッジ内のＵＥの同期リソース開始位置に基づいて確定することにより、カバレッジ外のＵＥの同期リソースとカバレッジ内のＵＥの同期リソースとの整合が保証され、カバレッジ内のＵＥとの高い同期精度が維持されることができる。
【００２０】
上記カバレッジ外のＵＥの同期リソース開始位置と上記カバレッジ内のＵＥの同期リソース開始位置との間のサブフレーム数は、一定値であるか、上記カバレッジ外のＵＥに予め配置された同期リソース開始位置に基づいて確定されることが好ましい。
【００２１】
上記同期信号検出モジュールは、更に、上記カバレッジ内のＵＥの同期リソース周期を確定し、上記カバレッジ内のＵＥの同期リソース開始位置と同期リソース周期に基づいて、上記カバレッジ内のＵＥの発信した同期信号を検出し続けることが好ましい。
【００２２】
上記同期信号送信モジュールは、更に、最近少なくとも一回検出した上記カバレッジ内のＵＥの発信した同期信号に基づいて、同期参考を取得し、取得した同期参考に基づいて、カバレッジ外のＵＥの同期信号送信用の同期参考及び／又はカバレッジ外のＵＥのデータ信号送信用の同期参考を確定することが好ましい。
【００２３】
上記同期信号検出モジュールが、上記カバレッジ内のＵＥの発信した同期リソース周期を確定する際に、検出した上記同期信号に付随する同期リソース周期情報に基づいて、上記カバレッジ内のＵＥの同期リソース周期を確定し、又は、上記カバレッジ内のＵＥの発信した同期チャネルを検出し、検出した上記同期チャネルに付随する同期リソース周期情報に基づいて、上記カバレッジ内のＵＥの同期リソース周期を確定し、又は、上記カバレッジ内のＵＥの同期リソース開始位置に基づいて、上記カバレッジ内のＵＥの同期リソース周期候補ごとに上記カバレッジ内のＵＥの同期信号を検出し、上記カバレッジ内のＵＥの同期信号が検出された同期リソース周期候補を上記カバレッジ内のＵＥの同期リソース周期として確定することが好ましい。
【００２４】
上記カバレッジ内のＵＥの同期リソース周期は、上記カバレッジ外のＵＥの同期リソース周期の整数倍であることが好ましい。
【００２５】
上記同期信号検出モジュールは、更に、検出した上記同期信号に付随する同期信号持続時間情報に基づいて、１つの同期リソース周期における上記カバレッジ内のＵＥの発信した同期信号の持続時間を確定することにより、上記カバレッジ内のＵＥの発信した同期信号を検出し続ける過程に、上記カバレッジ内のＵＥの発信した同期信号を、各同期リソース周期内に上記持続時間に従って検出し、又は、上記カバレッジ内のＵＥの発信した同期チャネルを検出し、検出した上記同期チャネルに付随する同期信号持続時間情報に基づいて、１つの同期リソース周期における上記カバレッジ内のＵＥの発信した同期信号の持続時間を確定することにより、上記カバレッジ内のＵＥの発信した同期信号を検出し続ける過程に、上記カバレッジ内のＵＥの発信した同期信号を、各同期リソース周期内に上記持続時間に従って検出することが好ましい。
【００２６】
方法と同様の発明構想に基づいて、本発明の実施例は、カバレッジ外のＵＥであるＵＥを提供する。当該ＵＥにおいて、プロセッサと、メモリとを含む。プロセッサは、下記機能を有するコンピュータプログラムを実行するように配置される。即ち、カバレッジ内のＵＥの発信した同期信号を検出すると、上記カバレッジ内のＵＥの同期リソース開始位置を確定することと、カバレッジ外のＵＥの同期リソース開始位置を、上記カバレッジ内のＵＥの同期リソース開始位置に基づいて確定することと、カバレッジ外のＵＥの同期リソース開始位置とカバレッジ外のＵＥの同期リソース周期に基づいて、同期信号を送信することである。メモリは、上記コンピュータプログラムのコードを格納するように配置される。
【００２７】
本発明の実施例によれば、カバレッジ外のＵＥは、カバレッジ内のＵＥの同期信号を受信すると、受信した同期信号に基づいて、カバレッジ内のＵＥの同期リソース開始位置を確定し、更に、自身の同期リソース開始位置を、カバレッジ内のＵＥの同期リソース開始位置に基づいて確定することにより、カバレッジ外のＵＥの同期リソースとカバレッジ内のＵＥの同期リソースの整合が保証され、カバレッジ内のＵＥとの高い同期精度が維持される。
【図面の簡単な説明】
【００２８】
【図１】本発明の実施例における方法のフローチャートである。
【図２】Ｄ２Ｄネットワークの構築図である。
【図３】本発明の実施例におけるＵＥの模式図である。
【図４】本発明の実施例における別のＵＥの模式図である。
【発明を実施するための形態】
【００２９】
以下、図面を参照しながら、本発明の実施例における技術案を詳細に説明する。
【００３０】
図１に示すように、本発明の実施例における同期処理方法は、具体的に以下の工程を含む。
【００３１】
ステップ１００において、カバレッジ外のＵＥは、カバレッジ内のＵＥの発信した同期信号を検出すると、当該カバレッジ内のＵＥの同期リソース開始位置を確定する。
【００３２】
本発明の実施例において、カバレッジ外のＵＥは、セルラーネットワークのカバレッジ外のＵＥであってもよいし、無線ＬＡＮ（ＷＬＡＮ）のカバレッジ外のＵＥであってもよく、更に、クラスタヘッダのカバレッジ外のＵＥや、他の有線又は無線網のカバレッジ外のＵＥであってもよいが、本発明ではこれについて限定しない。
【００３３】
本発明の実施例において、カバレッジ内のＵＥの定義について、上述のカバレッジ外のＵＥの説明を参照されたい。
【００３４】
ステップ１１０において、上記カバレッジ外のＵＥは、自身の同期リソース開始位置を、上記カバレッジ内のＵＥの同期リソース開始位置に基づいて確定する。
【００３５】
ステップ１２０において、上記カバレッジ外のＵＥは、自身の同期リソース開始位置と自身の同期リソース周期に基づいて、同期信号を送信する。
【００３６】
ここで、カバレッジ外のＵＥの同期リソース周期は、予め設定されている。例えば、当該ＵＥの機器内部に予め設定されている。
【００３７】
ここで、ステップ１２０の具体的な実現方式として、カバレッジ外のＵＥが自身の同期リソース周期毎に自身の同期リソース開始位置から同期信号を送信するが、これに限定されない。
【００３８】
本発明の実施例によれば、カバレッジ外のＵＥは、カバレッジ内のＵＥの同期信号を受信すると、受信した同期信号に基づいて、カバレッジ内のＵＥの同期リソース開始位置を確定するとともに、自身の同期リソース開始位置を、カバレッジ内のＵＥの同期リソース開始位置に基づいて確定することにより、カバレッジ外のＵＥの同期リソースとカバレッジ内のＵＥの同期リソースの整合が保証され、カバレッジ内のＵＥとの高い同期精度が維持されることができる。
【００３９】
カバレッジ外のＵＥの同期リソース開始位置とカバレッジ内のＵＥの同期リソース開始位置との間のサブフレーム数は、一定値であるか、上記カバレッジ外のＵＥに予め配置された同期リソース開始位置に基づいて確定されることが好ましい。通常、該一定値は、整数であり、例えば０であり、即ち、カバレッジ外のＵＥの同期リソース開始位置とカバレッジ内のＵＥの同期リソース開始位置とは、隣接のサブフレームにある。すると、ステップ１１０において、カバレッジ外のＵＥは、具体的に、カバレッジ内のＵＥの同期リソース開始位置と上記間のサブフレーム数に基づいて、自身の同期リソース開始位置を確定する。
【００４０】
ここで、カバレッジ外のＵＥの同期リソース開始位置は、カバレッジ内のＵＥの同期リソース開始位置の後ろであってもよいし、カバレッジ内のＵＥの同期リソース開始位置の前にあってもよい。
【００４１】
カバレッジ外のＵＥの同期リソース開始位置がカバレッジ内のＵＥの同期リソース開始位置の前にある場合、ステップ１２０において、カバレッジ外のＵＥは、次の同期リソース周期より、自身の同期リソース開始位置と同期リソース周期に基づいて同期信号を送信する。
【００４２】
ここで、カバレッジ外のＵＥは、カバレッジ内のＵＥの同期信号が検出されたリソースを、カバレッジ内のＵＥの同期リソース開始位置として確定してもよいが、それに限定されない。カバレッジ内のＵＥが１つの同期リソース周期に同期信号を複数回送信すると、カバレッジ外のＵＥは、カバレッジ内のＵＥの１つの同期リソース周期に検出した一つ目の同期信号のリソースを、カバレッジ内のＵＥの同期リソース開始位置として確定する。
【００４３】
上述のいずれの実施例に基づいて、カバレッジ外のＵＥは、検出したカバレッジ内のＵＥの発信した同期信号に基づいて同期参考を取得し、取得した同期参考を自身の同期信号送信用の同期参考として確定することが好ましい。
【００４４】
ここで、同期参考は、タイミング用、即ち、サブフレームの開始位置を確定するための時間域同期参考、及び／又は、信号／データ送信用の周波数ポイントを確定するための周波数域同期参考である。
【００４５】
上述のいずれの実施例に基づいて、カバレッジ外のＵＥは、検出したカバレッジ内のＵＥの発信した同期信号に基づいて同期参考を取得し、取得した同期参考を自身のデータ信号送信用の同期参考として確定することが好ましい。
【００４６】
カバレッジ外のＵＥは、検出したカバレッジ内のＵＥの発信した同期信号に基づいて同期参考を取得すると、カバレッジ内のＵＥを識別できるのであれば、カバレッジ内のＵＥを参考同期ソースとして確定することが好ましい。
【００４７】
上述のいずれの実施例に基づいて、カバレッジ外のＵＥは、カバレッジ内のＵＥの発信した同期信号を検出すると、該カバレッジ内のＵＥの同期リソース周期を確定し、該バレッジ内ＵＥの同期リソース開始位置と同期リソース周期に基づいて、当該カバレッジ内のＵＥの発信した同期信号を検出し続けることが好ましい。
【００４８】
ここで、カバレッジ内のＵＥの同期リソース開始位置と同期リソース周期に基づいて、当該カバレッジ内のＵＥの発信した同期信号を検出し続けることは、具体的に、カバレッジ内のＵＥの同期リソース周期毎に、カバレッジ内のＵＥの同期リソース開始位置を含む時間ウィンドウ内にカバレッジ内のＵＥの同期信号を検出するが、これに限定されない。ここで、該時間ウィンドウの大きさは、必要に応じて設定されるが、本発明ではこれについて限定しない。
【００４９】
本発明の実施例によれば、カバレッジ内のＵＥの発信した同期信号にカバレッジ内のＵＥの同期リソース送信周期を付随させることにより、カバレッジ外のＵＥは、カバレッジ内のＵＥの同期リソース送信周期を確定でき、更にカバレッジ内のＵＥの発信した同期信号に対する追跡検出を実現できる。カバレッジ外のＵＥがカバレッジ内のＵＥの同期リソース開始位置と同期リソース周期を確定できるため、同期信号追跡の複雑度が簡単化され、同期信号追跡の精度が高められる。
【００５０】
これに基づいて、カバレッジ外のＵＥは、具体的に、最近少なくとも一回検出したカバレッジ内のＵＥの発信した同期信号に基づいて、同期参考を取得する。更に、取得した同期参考に基づいて、自身の同期信号送信用の同期参考及び／又は自身のデータ信号送信用の同期参考を更新する。
【００５１】
カバレッジ外のＵＥは、最近回に検出したカバレッジ内のＵＥの発信した同期信号に基づいて同期参考を取得し、取得した該同期参考を、自身の同期信号送信用の同期参考及び／又は自身のデータ信号送信用の同期参考とすることが好ましい。
【００５２】
本発明の実施例によれば、カバレッジ外のＵＥは、最近少なくとも一回検出したカバレッジ内のＵＥの発信した同期信号に基づいて同期参考を取得することにより、自身の同期参考を適時に調整でき、高い同期精度が保証される。
【００５３】
カバレッジ内のＵＥの同期リソース周期とカバレッジ外のＵＥの同期リソース周期には倍数関係が存在することが好ましい。具体的に、カバレッジ内のＵＥの同期リソース周期がカバレッジ外のＵＥの同期リソース周期の整数倍であってもよいし、カバレッジ外のＵＥの同期リソース周期がカバレッジ内のＵＥの同期リソース周期の整数倍であってもよい。
【００５４】
ここで、カバレッジ外のＵＥがカバレッジ内のＵＥの同期リソース周期を確定する実現方式は、以下の数種類を含むが、それらに限定されない。
【００５５】
方式１：カバレッジ外のＵＥは、検出した同期信号に付随する同期リソース周期情報に基づいて、カバレッジ内のＵＥの同期リソース周期を確定する。
ここで、同期信号は、具体的に同期シーケンスであってもよい、例えばＤ２ＤＳＳ（Ｄｅｖｉｃｅ  ｔｏ  Ｄｅｖｉｃｅ  Ｓｙｎｃｈｒｏｎｉｚａｔｉｏｎ  Ｓｉｇｎａｌ）である。
【００５６】
方式２：カバレッジ外のＵＥは、カバレッジ内のＵＥの発信した同期チャネルを検出し、検出した同期チャネルに付随する同期リソース周期情報に基づいて、カバレッジ内のＵＥの同期リソース周期を確定する。
ここで、同期チャネルは、ＰＤ２ＤＳＣＨ（Ｐｈｙｓｉｃａｌ  Ｄｅｖｉｃｅ  ｔｏ  Ｄｅｖｉｃｅ  Ｓｙｎｃｈｒｏｎｉｚａｔｉｏｎ  Ｃｈａｎｎｅｌ）であってもよいが、それに限定されない。
同期チャネルと同期信号は、一緒に伝送され、通常、同一のサブフレーム内で伝送される。同期信号と同期チャネル中の情報は、共に同期参考の確定に用いられる。
【００５７】
方式３：カバレッジ外のＵＥは、カバレッジ内のＵＥの同期リソース開始位置に基づいて、カバレッジ内のＵＥの同期リソース周期候補ごとにカバレッジ内のＵＥの同期信号を検出し、カバレッジ内のＵＥの同期信号が検出された同期リソース周期候補をカバレッジ内のＵＥの同期リソース周期として確定する。
ここで、同期リソース周期情報は、同期リソース周期の具体の値を示してもよいし、カバレッジ内のＵＥの同期リソース周期とカバレッジ外のＵＥの同期リソース周期の倍数関係を示してもよい。
【００５８】
方式１において、カバレッジ外のＵＥが直接に同期チャネルからカバレッジ内のＵＥの同期リソース周期を取得するのに対し、方式３において、カバレッジ外のＵＥが異なる周期をブラインド検出を行うことによりカバレッジ内のＵＥの同期リソース周期を確定する。
【００５９】
同期リソース周期情報は、カバレッジ内のＵＥの同期リソース周期とカバレッジ外のＵＥの同期リソース周期の倍数関係を示すのであれば、カバレッジ内のＵＥでもカバレッジ外のＵＥでも、予め配置されたカバレッジ外用の同期リソース周期が同一である。
【００６０】
上述のいずれの実施例に基づいて、カバレッジ内のＵＥが、更に同期信号持続時間情報を送信する。送信する同期信号に同期信号持続時間情報を付随させてもよい。すると、カバレッジ外のＵＥは、検出した同期信号に付随する同期信号持続時間情報に基づいて、１つの同期リソース周期におけるカバレッジ内のＵＥの発信した同期信号の持続時間を確定することにより、カバレッジ内のＵＥの発信した同期信号を検出し続ける過程に、カバレッジ内のＵＥの発信した同期信号を、カバレッジ内のＵＥの各同期リソース周期内に該持続時間に従って検出する。また、送信する同期チャネルに同期信号持続時間情報を付随させてもよい。すると、カバレッジ外のＵＥは、カバレッジ内のＵＥの発信した同期チャネルを検出し、検出した同期チャネルに付随する同期信号持続時間情報に基づいて、１つの同期リソース周期におけるカバレッジ内のＵＥの発信した同期信号の持続時間を確定することにより、カバレッジ内のＵＥの発信した同期信号を検出し続ける過程に、カバレッジ内のＵＥの発信した同期信号を、カバレッジ内のＵＥの各同期リソース周期内に該持続時間に従って検出する。
【００６１】
ここで、同期信号持続時間情報は、１つの同期リソース周期における同期信号の持続時間を示し、例えば１つの同期リソース周期における送信回数を示す。
【００６２】
本発明の実施例における方法は、Ｄ２Ｄに適用するが、Ｄ２Ｄに限定されず、他の通信システムにも同様に適用できる。
【００６３】
以下、図２に示すＤ２Ｄを例として、本発明の実施例における方法を詳細に記載する。
【００６４】
図２において、ＵＥ１は、カバレッジ内のＤ２Ｄ  ＵＥであり、ＵＥ２、ＵＥ３は、カバレッジ外のＤ２Ｄ  ＵＥである。
【００６５】
ネットワーク側は、ＵＥ１の同期リソース周期と同期リソース開始位置をハイレイヤシグナリングにより設定する。例えば、ネットワーク側は、１０ビットのハイレイヤシグナリング（０〜１０２３）により、表１の配置を指示する。
【００６６】
【表１】
0006385457.tif 000002
【００６７】
なお、ＵＥ１の同期リソース開始位置は、ＵＥ１とネットワーク側との間で予め約束したものであってもよい。
【００６８】
表１では、同期リソース開始位置は、フレームインデックスにより示される。なお、同期リソース開始位置は、サブフレーム番号、ＯＦＤＭ記号インデックス等により示されてもよい。
【００６９】
上述の配置に基づいて、同期情報の伝送及び処理過程は、下記のとおりである。
【００７０】
ＵＥ１は、ネットワーク側で配置された同期リソース周期と同期リソース開始位置に基づいて、対応する同期リソースで周期的に同期信号を送信する。例えば、ネットワーク側で配置されたインデックス値が２４９であると、表１により、ＵＥ１は、無線フレーム１４の第９個のサブフレームで２００ｍｓの周期で同期信号送信を開始する。ＵＥ１による同期信号送信の帯域幅は、予め設定されるものであり、例えば中間の６個のＰＲＢを占用して送信する。ＵＥ１は、更に同期リソースで同期チャネルを送信し、該同期チャネルにＵＥ１の同期リソース周期情報を付随させる。該同期リソース周期情報は、例えば、ＵＥ１が、ＰＤ２ＤＳＣＨにおける表２に示すような２ビットのシグナリング（同期リソース周期情報）により同期リソース周期を指示する。
【００７１】
【表２】
0006385457.tif 000003
【００７２】
ここで、同期チャネルを伝送するリソースは、同期信号を伝送するリソースとは一定の関連関係を有する。
【００７３】
なお、ＵＥ１は、送信する同期信号に同期リソース周期情報を付随させてもよい。
【００７４】
ＵＥ２は、ＵＥ１が同期情報（同期信号と同期チャネル）を送信する帯域幅でＵＥ１の同期信号及び同期チャネルを検出し、検出した同期信号により同期参考を取得する。該同期参考が、時間域同期（タイミング）及び／又は周波数域同期（周波数ポイント）の参考を含む。
【００７５】
ＵＥ２は、検出したＵＥ１の同期信号により、ＵＥ１の同期リソース開始位置を確定し、検出した同期チャネルにより、ＵＥ１の同期リソース周期を確定する。具体的に、ＵＥ２は、検出したＵＥ１の同期信号のサブフレームを、ＵＥ１の同期リソース開始サブフレーム位置として確定する。ＵＥ２は、同期チャネル（ＰＤ２ＤＳＣＨ）における２ビット同期リソース周期情報により、ＵＥ１の同期リソース周期を取得する。例えば、該２ビットの同期リソース周期情報が０１であると、表２から、ＵＥ１の現在の同期リソース周期が２００ｍｓであることが分かる。
【００７６】
ＵＥ２は、ＵＥ１の同期リソースサブフレーム位置をＭ＝２個のサブフレームだけ遅延させた同期サブフレームを、自身の同期リソースサブフレーム開始位置とし、確定済みの同期参考を用いて自身の同期信号送信を開始する。ＵＥ２の同期信号は、周期的に送信され、周期が機器に予め配置された同期リソース周期であり、例えば５０ｍｓである。
【００７７】
上述の処理過程で、ＵＥ２は、ＵＥ１の同期リソース開始位置と同期リソース周期（２００ｍｓ）に基づいて、ＵＥ１の各同期リソース周期内の同期リソースでＵＥ１の同期信号を検出し、最近回で検出したＵＥ１の同期信号に基づいて同期参考を取得し、後続の同期信号伝送用の同期参考を更新する。具体的に、ＵＥ２は、２００ｍｓおきに、ＵＥ１の同期リソースの近くでＵＥ１の同期信号を検出して同期参考を取得し、これに基づいて次の２００ｍｓ（４つの自身の同期リソース周期）内で同期信号を伝送する同期参考を更新して調整し、ＵＥ１との同期を保証する。
【００７８】
更に、ＵＥ２が最近少なくとも一回検出したＵＥ１の同期信号に基づいて取得した同期参考は、後続のデータ信号伝送用の同期参考の更新にも用いられる。
【００７９】
方法と同様の発明構想に基づいて、本発明の実施例は、カバレッジ外のＵＥであるＵＥを提供する。当該ＵＥにおいて、カバレッジ内のＵＥの発信した同期信号を検出すると、上記カバレッジ内のＵＥの同期リソース開始位置を確定するための同期信号検出モジュール３０１と、カバレッジ外のＵＥの同期リソース開始位置を、上記カバレッジ内のＵＥの同期リソース開始位置に基づいて確定するための同期リソース確定モジュール３０２と、カバレッジ外のＵＥの同期リソース開始位置とカバレッジ外のＵＥの同期リソース周期に基づいて、同期信号を送信するための同期信号送信モジュール３０３とを含む。
【００８０】
本発明の実施例において、カバレッジ外のＵＥは、カバレッジ内のＵＥの同期信号を受信すると、受信した同期信号に基づいて、カバレッジ内のＵＥの同期リソース開始位置を確定し、更に、自身の同期リソース開始位置を、カバレッジ内のＵＥの同期リソース開始位置に基づいて確定することにより、カバレッジ外のＵＥの同期リソースとカバレッジ内のＵＥの同期リソースの整合が保証され、カバレッジ内のＵＥとの高い同期精度が維持されることができる。
【００８１】
上記カバレッジ外のＵＥの同期リソース開始位置と上記カバレッジ内のＵＥの同期リソース開始位置との間のサブフレーム数は、一定値であるか、上記カバレッジ外のＵＥに予め配置された同期リソース開始位置に基づいて確定されることが好ましい。
【００８２】
上記同期信号検出モジュールは、更に、上記カバレッジ内のＵＥの同期リソース周期を確定し、上記カバレッジ内のＵＥの同期リソース開始位置と同期リソース周期に基づいて、上記カバレッジ内のＵＥの発信した同期信号を検出し続けることが好ましい。
【００８３】
同期追跡の上、同期信号送信モジュールは、更に、最近少なくとも一回検出した上記カバレッジ内のＵＥの発信した同期信号に基づいて、同期参考を取得し、取得した同期参考に基づいて、カバレッジ外のＵＥの同期信号送信用の同期参考及び／又はカバレッジ外のＵＥのデータ信号送信用の同期参考を確定することが好ましい。
【００８４】
上記同期信号検出モジュールは、上記カバレッジ内のＵＥの同期リソース周期を確定する際に、検出した上記同期信号に付随する同期リソース周期情報に基づいて、上記カバレッジ内のＵＥの同期リソース周期を確定し、又は、上記カバレッジ内のＵＥの発信した同期チャネルを検出し、検出した上記同期チャネルに付随する同期リソース周期情報に基づいて、上記カバレッジ内のＵＥの同期リソース周期を確定し、又は、上記カバレッジ内のＵＥの同期リソース開始位置に基づいて、上記カバレッジ内のＵＥの同期リソース周期候補ごとに上記カバレッジ内のＵＥの同期信号を検出し、上記カバレッジ内のＵＥの同期信号が検出された同期リソース周期候補を上記カバレッジ内のＵＥの同期リソース周期として確定することが好ましい。
【００８５】
上記カバレッジ内のＵＥの同期リソース周期は、上記カバレッジ外のＵＥの同期リソース周期の整数倍であることが好ましい。
【００８６】
上記同期信号検出モジュールは、更に、検出した上記同期信号に付随する同期信号持続時間情報に基づいて、１つの同期リソース周期における上記カバレッジ内のＵＥの発信した同期信号の持続時間を確定することにより、上記カバレッジ内のＵＥの発信した同期信号を検出し続ける過程に、上記カバレッジ内のＵＥの発信した同期信号を、各同期リソース周期内に上記持続時間に従って検出し、又は、上記カバレッジ内のＵＥの発信した同期チャネルを検出し、検出した上記同期チャネルに付随する同期信号持続時間情報に基づいて、１つの同期リソース周期における上記カバレッジ内のＵＥの発信した同期信号の持続時間を確定することにより、上記カバレッジ内のＵＥの発信した同期信号を検出し続ける過程に、上記カバレッジ内のＵＥの同期信号を、各同期リソース周期内に上記持続時間に従って検出することが好ましい。
【００８７】
方法と同様の発明構想に基づいて、本発明の実施例は、カバレッジ外のＵＥであるＵＥを提供する。図４に示すように、当該ＵＥにおいて、プロセッサ４０１と、メモリ４０２とを含む。プロセッサ４０１は、下記機能を有するコンピュータプログラムを実行するように配置される。即ち、カバレッジ内のＵＥの発信した同期信号を検出すると、上記カバレッジ内のＵＥの同期リソース開始位置を確定することと、カバレッジ外のＵＥの同期リソース開始位置を、上記カバレッジ内のＵＥの同期リソース開始位置に基づいて確定することと、カバレッジ外のＵＥの同期リソース開始位置とカバレッジ外のＵＥの同期リソース周期に基づいて、同期信号を送信することである。メモリ４０２は、上記コンピュータプログラムのコードを格納するように配置される。
【００８８】
本発明の実施例によれば、カバレッジ外のＵＥは、カバレッジ内のＵＥの同期信号を受信すると、受信した同期信号に基づいて、カバレッジ内のＵＥの同期リソース開始位置を確定し、更に、自身の同期リソース開始位置を、カバレッジ内のＵＥの同期リソース開始位置に基づいて確定することにより、カバレッジ外のＵＥの同期リソースとカバレッジ内のＵＥの同期リソースの整合が保証され、カバレッジ内のＵＥとの高い同期精度が維持されることができる。
【００８９】
本発明の実施例は、方法、システム、又はコンピュータプログラムプロダクトとして提供できると当業者が理解すべきである。従って、本発明は、完全ハードウェアの実施例、完全ソフトウェアの実施例、又はソフトウェアとハードウェアを組み合わせた実施例の形態を採用してもよい。しかも、本発明は、コンピュータ利用可能なプログラムコードを含む１つ又は複数のコンピュータ利用可能な記憶媒体（磁気ディスクメモリ、ＣＤ−ＲＯＭ、光学メモリなどを含むが、それらに限らない）で実施されるコンピュータプログラムプロダクトの形態を採用してもよい。
【００９０】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現できると理解すべきである。これらのコンピュータプログラムコマンドを汎用コンピュータ、専用コンピュータ、組み込みプロセッサ又は他のプログラマブルデータ処理デバイスのプロセッサに提供して、１つの機器を形成することにより、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【００９１】
これらのコンピュータプログラムコマンドは、コンピュータ又は他のプログラマブルデータ処理デバイスをブートし、特定の方式で動作するコンピュータ読み出し可能なメモリに格納され、当該コンピュータ読み出し可能なメモリに格納されるコマンドにより、コマンド装置を含むプロダクトを形成してもよい。当該コマンド装置は、フロー図の１つ又は複数のフロー及び／又はブロック図の１つ又は複数のブロックで指定される機能を実現する。
【００９２】
これらのコンピュータプログラムコマンドは、コンピュータ又は他のプログラマブルデータ処理デバイスにロードされ、コンピュータ又は他のプログラマブルデータ処理デバイスで一連の作業工程を実行することにより、コンピュータで実現される処理を形成してもよい。それにより、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【００９３】
本発明の好適な実施例を記載したが、当業者は、基本的な創造性概念をいったん知ると、これらの実施例に対し別の変更や修正をすることができる。従って、添付の特許請求の範囲は、好適な実施例及び本発明の範囲に入る全ての変更や修正を含むことを意図とする。
【００９４】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
0006385457.tif 000004
【図２】
0006385457.tif 000005
【図３】
0006385457.tif 000006
【図４】
0006385457.tif 000007